(57)【要約】【課題】トレイを筐体に収納する際に、トレイに限度を超える大きな荷重が加わった場合であっても、トレイの収納方向側端部をコネクタのアクチュエータ部に接触させない光ディスク装置を提供することを目的とする。【解決手段】回路基板７に設けられフレキシブルケーブル１０の一方の端部を保持するアクチュエータ部９ａと、アクチュエータ部９ａを両端から支持するハウジング部９ｂとから構成されたコネクタ９と、を備え、トレイの収納方向側端部３ａは、トレイを筐体に収納する際にハウジング部９ｂの上方を通過する領域に突部３ｂを有し、突部３ｂを複数設けることによりアクチュエータ部９ａの上方を通過する領域に凹部３ｃを形成することを特徴とする。【選択図】図４
2010192045.tif 000002
【特許請求の範囲】
【請求項１】
筐体に収納または引き出し自在に設けられ光ディスクを載置するトレイと、
前記トレイに設けられ前記光ディスクにレーザ光を照射する光ピックアップモジュールと、
前記筐体の奥部に設けられ前記光ピックアップモジュールを制御する回路基板と、
前記光ピックアップモジュールと前記回路基板を電気的に接続するフレキシブルケーブルと、
前記回路基板に設けられ前記フレキシブルケーブルの一方の端部を保持するアクチュエータ部と、前記アクチュエータ部を両端から支持するハウジング部とから構成されたコネクタと、を備え、
前記トレイの収納方向側端部は、前記トレイを前記筐体に収納する際に前記ハウジング部の上方を通過する領域に突部を有し、前記突部を複数設けることにより前記アクチュエータ部の上方を通過する領域に凹部を形成することを特徴とする光ディスク装置。
【請求項２】
前記突部は前記筐体の奥部に向かって形成され、前記凹部は前記筐体の奥部に向かって形成されることを特徴とする請求項１記載の光ディスク装置。
【請求項３】
前記凹部は、前記トレイの収納方向に直交する幅が、前記アクチュエータ部の前記トレイ収納方向に直交する幅より大きいことを特徴とする請求項２記載の光ディスク装置。
【請求項４】
前記突部は、前記トレイの収納方向に直交する幅が、前記ハウジング部の前記トレイ収納方向に直交する幅より大きいことを特徴とする請求項３記載の光ディスク装置。
【請求項５】
前記突部は、前記トレイ収納方向の長さが、前記アクチュエータ部の前記トレイ収納方向の長さより長いことを特徴とする請求項４記載の光ディスク装置。
【請求項６】
前記突部は、前記ハウジング部と対向する面に対して傾斜する傾斜面を有し、
前記トレイが前記筐体に収納される際に、トレイに限度を超える荷重が加わった場合、前記傾斜面は、前記ハウジング部の壁面または角に接触した後、前記壁面または前記角を沿うように移動することを特徴とする請求項５記載の光ディスク装置。
【発明の詳細な説明】
【技術分野】
【０００１】
本発明は、光ディスクに情報を記録、または光ディスクの情報を再生することの少なくとも一方を行う光ディスク装置に関するものである。
【背景技術】
【０００２】
従来の光ディスク装置では、筐体に収納または引き出し自在に設けられ光ディスクを載置するトレイと、トレイに設けられ光ディスクにレーザ光を照射する光ピックアップモジュールと、筐体の奥部に設けられ光ピックアップモジュールを制御する回路基板と、回路基板に設けられフレキシブルケーブルの一方の端部を保持するアクチュエータ部とアクチュエータ部を両端から支持するハウジング部とから構成されたコネクタと、を備えるという構成であった。
【特許文献１】特開昭５９−２０３２６５号公報
【発明の開示】
【発明が解決しようとする課題】
【０００３】
しかしながら、従来の構成では、トレイを筐体に収納する際に、トレイに限度を超える荷重が加わった場合、トレイがコネクタに接近してコネクタのアクチュエータ部に接触することが考えられる。この場合、コネクタはアクチュエータ部が回転することによりフレキシブルケーブルの一方の端部を保持する機能を有するので、トレイがアクチュエータ部に接触しアクチュエータ部が回転するとフレキシブルケーブルの端部の保持が解除される可能性があるという問題があった。
【０００４】
本発明は、トレイを筐体に収納する際に、トレイに限度を超える大きな荷重が加わった場合であっても、トレイの収納方向側端部をコネクタのアクチュエータ部に接触させない光ディスク装置を提供することを目的とする。
【課題を解決するための手段】
【０００５】
本発明は上記課題を解決するためになされたものであって、筐体に収納または引き出し自在に設けられ光ディスクを載置するトレイと、トレイに設けられ光ディスクにレーザ光を照射する光ピックアップモジュールと、筐体の奥部に設けられ光ピックアップモジュールを制御する回路基板と、光ピックアップモジュールと回路基板を電気的に接続するフレキシブルケーブルと、回路基板に設けられフレキシブルケーブルの一方の端部を保持するアクチュエータ部と、アクチュエータ部を両端から支持するハウジング部とから構成されたコネクタと、を備え、トレイの収納方向側端部が、トレイを筐体に収納する際にハウジング部の上方を通過する領域に突部を有し、その突部を複数設けることによりアクチュエータ部の上方を通過する領域に凹部を形成することを特徴とする光ディスク装置である。
【発明の効果】
【０００６】
本発明は上記構成により、トレイの収納方向側端部が、トレイを筐体に収納する際にコネクタのハウジング部の上方を通過する領域に突部を有し、突部を複数設けることによりコネクタのアクチュエータ部の上方を通過する領域に凹部を形成するので、トレイを筐体に収納する際に、トレイに限度を超える荷重が加わりトレイとコネクタの上部が接触する場合であっても、トレイの突部を先にコネクタのハウジング部に接触させ、トレイの収納方向側端部をコネクタのアクチュエータ部に接触させることなくコネクタの上部に乗り上げさせることができる。その結果、トレイを筐体に収納する際に、トレイに限度を超える大きな荷重が加わった場合であっても、トレイの収納方向側端部をコネクタのアクチュエータ部に接触させない光ディスク装置を実現することができる。
【発明を実施するための最良の形態】
【０００７】
請求項１記載の発明は、筐体に収納または引き出し自在に設けられ光ディスクを載置するトレイと、トレイに設けられ光ディスクにレーザ光を照射する光ピックアップと、筐体の奥部に設けられ光ピックアップを制御する回路基板と、光ピックアップと回路基板を電気的に接続するフレキシブルケーブルと、回路基板に設けられフレキシブルケーブルの一方の端部を保持するアクチュエータ部と、アクチュエータ部を両端から支持するハウジング部とから構成されたコネクタと、を備え、トレイの収納方向側端部はトレイを筐体に収納する際にハウジング部の上方を通過する領域に突部を有し、その突部を複数設けることによりアクチュエータ部の上方を通過する領域に凹部を形成することを特徴とするものである。これにより、トレイの収納方向側端部が、トレイを筐体に収納する際にコネクタのハウジング部の上方を通過する領域に突部を有し、その突部を複数設けることによりコネクタのアクチュエータ部の上方を通過する領域に凹部を形成するので、トレイを筐体に収納する際に、トレイに限度を超える大きな荷重が加わりトレイとコネクタの上部が接触する場合であっても、トレイの突部を先にコネクタのハウジング部に接触させ、トレイの収納方向側端部をコネクタのアクチュエータ部に接触させることなくコネクタの上部に乗り上げさせることができる。その結果、トレイを筐体に収納する際に、トレイに限度を超える大きな荷重が加わった場合であっても、トレイの収納方向側端部をコネクタのアクチュエータ部に接触させない光ディスク装置を実現することができる。
【０００８】
請求項２記載の発明は、突部が筐体の奥部に向かって形成され、凹部は筐体の奥部に向かって形成されることを特徴とするものである。これにより、トレイを筐体に収納する際、トレイの収納方向側端部とコネクタの接触を防止するために必要なトレイとコネクタとの間のスペースを最小限に抑えることができる。
【０００９】
請求項３記載の発明は、凹部の、トレイの収納方向に直交する幅が、アクチュエータ部のトレイ収納方向に直交する幅より大きいことを特徴とするものである。これにより、トレイを筐体に収納する際に、トレイに限度を超える大きな荷重が加わりトレイとコネクタの上部が接触する場合であっても、凹部の幅がアクチュエータ部の幅より大きいので、確実にトレイの収納方向側端部をコネクタのアクチュエータ部に接触させることなくコネクタの上部に乗り上げさせることができる。
【００１０】
請求項４記載の発明は、突部の、トレイの収納方向に直交する幅が、ハウジング部のトレイ収納方向に直交する幅より大きいことを特徴とするものである。これにより、トレイを筐体に収納する際に、トレイに限度を超える大きな荷重が加わりトレイとコネクタの上部が接触する場合であっても、トレイの突部がコネクタのハウジング部に安定して接触するので、確実にトレイの収納方向側端部をコネクタのアクチュエータ部に接触させることなくコネクタの上部に乗り上げさせることができる。
【００１１】
請求項５記載の発明は、突部の、トレイ収納方向の長さが、アクチュエータ部のトレイ収納方向の長さより長いことを特徴とするものである。これにより、トレイを筐体に収納する際に、トレイに限度を超える大きな荷重が加わりトレイとコネクタの上部が接触する場合であっても、トレイの突部がコネクタのハウジング部に接触する期間を長くするので、確実にトレイの収納方向側端部をコネクタのアクチュエータ部に接触させることなくコネクタの上部に乗り上げさせることができる。
【００１２】
請求項６記載の発明は、突部がハウジング部と対向する面に対して傾斜する傾斜面を有し、トレイが筐体に収納される際に、トレイに限度を超える荷重が加わった場合、傾斜面は、ハウジング部の壁面または角に接触した後、その壁面または角を沿うように移動することを特徴とするものである。これにより、トレイを筐体に収納する際に、トレイに限度を超える荷重が加わりトレイとコネクタの上部が接触する場合であっても、トレイの突部とコネクタのハウジング部との接触がスムーズになるので、トレイの突部とコネクタのハウジング部に大きな負荷を与えない。
【００１３】
（実施の形態１）
以下、本発明の実施の形態１について、図面を参照しながら説明する。
【００１４】
図１，図２は、本発明の実施の形態１における光ディスク装置の外観図であり、図１は筐体にトレイが収納されている状態を示し、図２は筐体からトレイを引き出した状態を示している。なお、図２は、光ディスク装置の内部が確認できるように、図１から上部筐体部を外したものである。図１、図２において、１は光ディスク装置、２は筐体、２ａは上部筐体部、２ｂは下部筐体部、３はトレイ、３ａは収納方向側端部、３ｂは突部、４は光ピックアップモジュール、５は光ピックアップ、６はスピンドルモータ、７は回路基板、８はコネクタ、９はコネクタ、１０はフレキシブルケーブル、１０１は光ディスク、Ｆはトレイを筐体に収納する方向である。また、光ディスク１０１は、光ピックアップモジュール４、光ピックアップ５、スピンドルモータ６の状態がわかるように、透過させた状態で表示している。
【００１５】
筐体２は上部筐体部２ａと下部筐体部２ｂを組み合わせて袋状に構成されている。筐体２には、収納または引き出し自在に設けられたトレイ３があり、このトレイ３に光ディスク１０１を載置して光ディスク１０１を筐体２の中に搬送する。トレイ３には光ピックアップモジュール４が設けられ、この光ピックアップモジュール４は、光学系を構成した光ピックアップ５と光ディスク１０１を回転させるスピンドルモータ６とから構成されている。光ピックアップ５は光ディスク１０１にレーザ光を照射することにより光ディスク１０１に情報を記録する、もしくは光ディスク１０１から情報を再生することの少なくとも一方を行う。
【００１６】
筐体２の奥部には光ピックアップモジュール４の制御回路の少なくとも一部を構成する回路基板７が設けられている。回路基板７には、外部からの電力の供給と信号の入出力を行うコネクタ８と、光ピックアップモジュール４に制御信号を送出するコネクタ９とが設けられている。コネクタ９と光ピックアップモジュール４とは、フレキシブルケーブル１０で電気的に接続されている。フレキシブルケーブル１０は、折り曲げ可能な平帯状のケーブルであり、トレイ３を筐体２に収納する際に屈曲しながらトレイ３と下部筐体部２ｂで形成される空間に収納される。
【００１７】
トレイ３を筐体２に収納する際のトレイ３の収納方向側端部３ａには、突部３ｂが設けられている。この突部３ｂは、トレイ３を筐体２に収納する際、コネクタ９の上方を通過するように位置している。
【００１８】
次に、光ピックアップモジュールと回路基板を電気的に接続するコネクタについて説明する。
【００１９】
図３は、コネクタの構成を示す斜視図であり、図２に示すＡ部の拡大図である。図３（ａ）はフレキシブルケーブルの端部を保持するアクチュエータ部が開いた状態を示す図である。また、図３（ｂ）はフレキシブルケーブルの端部を保持するアクチュエータ部が閉じた状態を示す図である。図３において、７は回路基板、９はコネクタ、９ａはアクチュエータ部、９ｂはハウジング部、１０はフレキシブルケーブル、Ｆはトレイを筐体に収納する方向である。
【００２０】
コネクタ９は、フレキシブルケーブル１０の一方の端部を保持するアクチュエータ部９ａと、そのアクチュエータ部９ａを両端から支持するハウジング部９ｂとから構成されている。
【００２１】
アクチュエータ部９ａは、ハウジング部９ｂから支持された支持点を中心に回転する。
アクチュエータ部９ａの主面がハウジング部９ｂの主面に対して略垂直になるとき、つまり図３（ａ）に示す状態になるとき、コネクタ９に接続されたフレキシブルケーブル１０のロックを解除する。また、アクチュエータ部９ａは、アクチュエータ部９ａの主面がハウジング部９ｂの主面と平行になるとき、つまり図３（ｂ）に示す状態になるとき、フレキシブルケーブル１０をロックする。
【００２２】
すなわち、図３（ａ）に示す状態はフレキシブルケーブル１０がコネクタ９から抜き差しできるであり、図３（ｂ）に示す状態はフレキシブルケーブル１０がコネクタ９から抜き差しできない状態である。
【００２３】
次に、本発明の特徴部分である、トレイの収納方向側端部に設けられた突部について説明する。
【００２４】
図４は、トレイの収納方向側端部を示す図であり、図２に示すＢ部の拡大図である。図４（ａ）はトレイの収納方向側端部の上面図であり、図４（ｂ）は図４（ａ）のＣ−Ｃ´断面図、Ｄ−Ｄ´断面図、Ｅ−Ｅ´断面図を示している。図４において、２ｂは下部筐体部、３はトレイ、３ａは収納方向側端部、３ｂは突部、３ｃは凹部、７は回路基板、９はコネクタ、９ａはアクチュエータ部、９ｂはハウジング部、１０はフレキシブルケーブル、Ｆはトレイを筐体に収納する方向、Ｇは幅、Ｈは幅、Ｊは幅、Ｋは幅、Ｌは長さ、Ｍは長さである。
【００２５】
トレイ３は、筐体２の一方向の端部から図１に示す矢印Ｆの方向に収納される。トレイ３の収納方向側端部３ａには突部３ｂが設けられ、この突部３ｂはトレイ３を筐体２に収納する際にコネクタ９のハウジング部９ｂの上方を通過する領域に位置している。突部３ｂはコネクタ９のアクチュエータ部９ａを支持するハウジング部９ｂの支持点それぞれの上方を通過するように設けられ、それらの突部３ｂを設けることによりアクチュエータ部９ａの上方を通過する領域に凹部３ｃを形成している。また、突部３ｂはトレイ３の収納方向側端部３ａが筐体２の奥部に向かってその一部が伸びるように形成され、凹部３ｃは筐体２の奥部に向かって形成されている。
【００２６】
凹部３ｃは、トレイ３の収納方向Ｆに直交する幅Ｇがアクチュエータ部９ａのトレイ収納方向Ｆに直交する幅Ｈより大きく形成されている。また、突部３ｂは、トレイ３の収納方向Ｆに直交する幅Ｊがハウジング部９ｂのトレイ収納方向Ｆに直交する幅Ｋより大きく形成されている。さらに、突部３ｂは、トレイ収納方向Ｆの長さＬがアクチュエータ部９ａのトレイ収納方向の長さＭより長く形成されている。
【００２７】
ここで、トレイ３に設けられた突部３ｂは、トレイ３を筐体２に収納する際に、トレイ３に限度を超える大きな荷重が加わりトレイ３とコネクタ９の上部が接触するような場合、トレイ３の収納方向側端部３ａ自体より先にコネクタ９のハウジング部９ｂに接触する役割を有する。また、トレイ３に設けられた凹部３ｃは、トレイ３を筐体２に収納する際に、トレイ３に限度を超える大きな荷重が加わりトレイ３とコネクタ９の上部が接触するような場合、トレイ３の収納方向側端部３ａ自体をアクチュエータ部９ａに接触させない役割を有する。
【００２８】
次に、筐体２にトレイ３を収納する際の光ディスク装置の厚み方向におけるトレイ３と筐体２との位置関係について説明する。
【００２９】
図５は、トレイを筐体に収納する際にトレイに荷重が加わらない状態を示す図であり、トレイの収納方向側端部がコネクタの上方を通過している状態を示す図である。図５（ａ）は、トレイの収納方向側端部の上面図であり、図５（ｂ）は図５（ａ）のＣ−Ｃ´断面図、Ｄ−Ｄ´断面図、Ｅ−Ｅ´断面図を示している。図５において、２ｂは下部筐体部、３ａは収納方向側端部、３ｂは突部、３ｃは凹部、７は回路基板、９はコネクタ、１０はフレキシブルケーブル、Ｆはトレイを筐体に収納する方向、Ｎはスペースである。
【００３０】
図５に示すトレイ３は、筐体２にトレイ３を収納する際に荷重が加わらない状態である。この場合、トレイ３の収納方向側端部３ａがコネクタ９の上方を通過するとき、トレイ３はコネクタ９の方向に接近していない。そのため、光ディスク装置の厚み方向において、トレイ３の収納方向側端部３ａとコネクタ９との間はスペースＮが存在する状態となる。このため、図５の状態では、トレイ３の収納方向側端部３ａとコネクタ９が接触することはない。
【００３１】
図６は、トレイを筐体に収納する際にトレイに荷重が加わる状態を示す図であり、トレイの収納方向側端部がコネクタの上方を通過する直前の状態を示す図である。図６（ａ）は、トレイの収納方向側端部の上面図であり、図６（ｂ）は図６（ａ）のＣ−Ｃ´断面図、Ｄ−Ｄ´断面図、Ｅ−Ｅ´断面図を示している。図６において、２ｂは下部筐体部、３ａは収納方向側端部、３ｂは突部、３ｃは凹部、７は回路基板、９はコネクタ、９ａはアクチュエータ部、９ｂはハウジング部、１０はフレキシブルケーブル、Ｆはトレイを筐体に収納する方向である。
【００３２】
図６に示すトレイ３は、筐体２にトレイ３を収納する際に荷重が加わる状態である。この場合、トレイ３の収納方向側端部３ａがコネクタ９の上方を通過するとき、トレイ３はコネクタ９の方向に接近している。そのため、光ディスク装置の厚み方向において、トレイ３の収納方向側端部３ａとコネクタ９との間は、図５のときには存在したスペースＮが存在していない状態である。このため、図６の状態では、トレイ３の収納方向側端部３ａとコネクタ９が接触する。
【００３３】
図７、図８は、トレイを筐体に収納する際にトレイに荷重が加わる状態を示す図である。図７はトレイの収納方向側端部がコネクタに接触した直後の状態を示す図であり、図７は図６の状態からさらにトレイを筐体に収納した状態を示す。また、図８は図７の状態からさらにトレイを筐体に収納した状態を示す。図７（ａ）は、トレイの収納方向側端部の上面図であり、図７（ｂ）は図７（ａ）のＣ−Ｃ´断面図、Ｄ−Ｄ´断面図、Ｅ−Ｅ´断面図を示している。また、図８（ａ）は、トレイの収納方向側端部の上面図であり、図８（ｂ）は図８（ａ）のＣ−Ｃ´断面図、Ｄ−Ｄ´断面図、Ｅ−Ｅ´断面図を示している。図７、図８において、２ｂは下部筐体部、３ａは収納方向側端部、３ｂは突部、３ｃは凹部、７は回路基板、９はコネクタ、９ａはアクチュエータ部、９ｂはハウジング部、１０はフレキシブルケーブル、Ｆはトレイを筐体に収納する方向である。
【００３４】
図７に示すトレイ３は、筐体２にトレイ３を収納する際に荷重が加わる状態である。この場合も、図６に示す状態と同様に、光ディスク装置の厚み方向において、トレイ３の収納方向側端部３ａとコネクタ９との間は、図５のときには存在したスペースＮが存在していない状態である。このため、トレイ３の収納方向側端部３ａがコネクタ９の上方を通過しようとするとき、トレイ３の収納方向側端部３ａがコネクタ９の上方に接触する。
【００３５】
このとき、収納方向側端部３ａには筐体２の奥部に向かってその一部が伸びるように突部３ｂが形成されており、この突部３ｂはトレイ３を筐体２に収納する際にコネクタ９のハウジング部９ｂの上方を通過する領域に位置しているので、突部３ｂが最初にコネクタ９と接触する。しかも、この突部３ｂをトレイ３の収納方向に直交する方向に複数設けることによりコネクタ９のアクチュエータ部９ａの上方を通過する領域に凹部３ｃを形成するので、図７に示すようにトレイ３の突部３ｂを先にコネクタ９のハウジング部９ｂに接触させた後、図８に示すようにトレイ３の収納方向側端部３ａをコネクタ９のアクチュエータ部９ａに接触させることなくコネクタ９の上部に乗り上げさせることができる。すなわち、トレイ３に限度を超える大きな荷重が加わりトレイ３とコネクタ９の上部が接触する場合であっても、トレイ３をコネクタ９のアクチュエータ部９ａに接触させないので、コネクタ９のアクチュエータ部９ａを図３（ａ）に示す状態にすることがない。
【００３６】
また、凹部３ｃは、図４に示すように、トレイ３の収納方向Ｆに直交する幅Ｇがアクチュエータ部９ａのトレイ収納方向Ｆに直交する幅Ｈより大きく形成されているので、トレイ３を筐体２に収納する際に、トレイ３に限度を超える大きな荷重が加わりトレイ３とコネクタ９の上部が接触する場合であっても、凹部３ｃの幅がアクチュエータ部９ａの幅より大きいので、確実にトレイ３の収納方向側端部３ａをコネクタ９のアクチュエータ部９ａに接触させることなくコネクタ９の上部に乗り上げさせることができる。
【００３７】
また、突部３ｂは、図４に示すように、トレイ３の収納方向Ｆに直交する幅Ｊがハウジング部９ｂのトレイ収納方向Ｆに直交する幅Ｋより大きく形成されているので、トレイ３の突部３ｂをコネクタ９のハウジング部９ｂに安定して接触させるので、確実にトレイ３の収納方向側端部３ａをコネクタ９のアクチュエータ部９ａに接触させることなくコネクタ９の上部に乗り上げさせることができる。
【００３８】
さらに、突部３ｂは、図４に示すように、トレイ収納方向Ｆの長さＬがアクチュエータ部９ａのトレイ収納方向の長さＭより長く形成されているので、トレイ３を筐体２に収納する際に、トレイ３に限度を超える大きな荷重が加わりトレイ３とコネクタ９の上部が接触する場合であっても、トレイ３の突部３ｂがコネクタ９のハウジング部９ｂに接触する期間を長くするので、確実にトレイ３の収納方向側端部３ａをコネクタ９のアクチュエータ部９ａに接触させることなくコネクタ９の上部に乗り上げさせることができる。
【００３９】
次に、トレイに設けられた突部の詳細について説明する。
【００４０】
図９は、トレイに設けられた突部の拡大図であり、図７（ｂ）に示すＣ−Ｃ´断面図を拡大したものである。図９において、２ｂは下部筐体部、３はトレイ、３ａは収納方向側端部、３ｂは突部、３ｄは傾斜面、９はコネクタ、９ｂはハウジング部、９ｃは面、１０はフレキシブルケーブル、Ｆはトレイを筐体に収納する方向である。
【００４１】
トレイ３に設けられた突部３ｂは、トレイ３のハウジング部９ｂと対向する面９ｃに対して傾斜する傾斜面３ｄを有している。この傾斜面３ｄは、図７、図８に示すように、トレイ３が筐体２に収納される際に、トレイ３に限度を超える大きな荷重が加わった場合、ハウジング部９ｂの壁面または角に接触した後、その壁面または角を沿うように移動する。これにより、トレイ３を筐体２に収納する際に、トレイ３に限度を超える大きな荷重が加わりトレイ３とコネクタ９の上部が接触する場合であっても、トレイ３の突部３ｂとコネクタ９のハウジング部９ｂとの接触がスムーズになるので、トレイ３の突部３ｂとコネクタ９のハウジング部９ｂに大きな負荷を与えることがない。
【００４２】
次に、トレイに設けられた突部の別の形態について説明する。
【００４３】
図１０は、トレイに設けられた突部の別の形態を示す図であり、図９に示す突部３ｂの形状を変更したものである。図１０において、２ｂは下部筐体部、３ａは収納方向側端部、３ｂは突部、３ｄは傾斜面、３ｃは凹部、９はコネクタ、１０はフレキシブルケーブル、Ｆはトレイを筐体に収納する方向である。
【００４４】
本実施の形態１では、トレイ３に設けられた突部３ｂをトレイ３の収納方向側端部３ａが筐体２の奥部に向かってその一部が伸びるように形成されるものとしたが、トレイ３に設けられた突部３ｂは、図１０に示すトレイ３の収納方向側端部３ａが筐体２の奥部に向かってその一部が伸びると共に下部筐体部２ｂ側にも伸びる突部３ｂであっても良い。
【００４５】
トレイ３を筐体２に収納する際、トレイ３とコネクタ９との間のスペースを最小限に抑えることを考慮すれば、図９に示す突部３ｂが好ましい。図９に示す突部３ｂの場合、突部３ｂは筐体２の奥部に向かって形成されると共に、図４に示すように、凹部３ｃは筐体２の奥部に向かって形成されるので、トレイ３を筐体２に収納する際、トレイ３の収納方向側端部３ａとコネクタ９の接触を防止するために必要なトレイ３とコネクタ９との間のスペースを最小限に抑えることができる。
【００４６】
以上の内容により、トレイ３の収納方向側端部３ａがトレイ３を筐体２に収納する際にコネクタ９のハウジング部９ｂの上方を通過する領域に突部３ｂを有し、その突部３ｂを複数設けることによりコネクタ９のアクチュエータ部９ａの上方を通過する領域に凹部３ｃを形成するので、トレイ３を筐体２に収納する際に、トレイ３に限度を超える大きな荷重が加わりトレイ３とコネクタ９の上部が接触する場合であっても、トレイ３の突部３ｂを先にコネクタ９のハウジング部９ｂに接触させ、トレイ３の収納方向側端部３ａをコネクタ９のアクチュエータ部９ｂに接触させることなくコネクタ９の上部に乗り上げさせることができる。その結果、トレイ３を筐体２に収納する際に、トレイ３に限度を超える大きな荷重が加わった場合であっても、トレイ３の収納方向側端部３ａをコネクタ９のアクチュエータ部９ｂに接触させない光ディスク装置を実現することができる。
【産業上の利用可能性】
【００４７】
本発明の光ディスク装置は、トレイを筐体に収納する際に、トレイに限度を超える大きな荷重が加わった場合であっても、トレイの収納方向側端部をコネクタのアクチュエータ部に接触させないので、トレイを利用して筐体内に光ディスクを搬送する光ディスク装置などに適応可能である。
【図面の簡単な説明】
【００４８】
【図１】本発明の実施の形態１における光ディスク装置の外観図
【図２】本発明の実施の形態１における光ディスク装置の外観図
【図３】コネクタの構成を示す斜視図
【図４】トレイの収納方向側端部を示す図
【図５】トレイを筐体に収納する際にトレイに荷重が加わらない状態を示す図
【図６】トレイを筐体に収納する際にトレイに荷重が加わる状態を示す図
【図７】トレイを筐体に収納する際にトレイに荷重が加わる状態を示す図
【図８】トレイを筐体に収納する際にトレイに荷重が加わる状態を示す図
【図９】トレイに設けられた突部の拡大図
【図１０】トレイに設けられた突部の別の形態を示す図
【符号の説明】
【００４９】
１    光ディスク装置
２    筐体
２ａ    上部筐体部
２ｂ    下部筐体部
３    トレイ
３ａ    収納方向側端部
３ｂ    突部
３ｃ    凹部
３ｄ    傾斜面
４    光ピックアップモジュール
５    光ピックアップ
６    スピンドルモータ
７    回路基板
８    コネクタ
９    コネクタ
９ａ    アクチュエータ部
９ｂ    ハウジング部
９ｃ    面
１０    フレキシブルケーブル
１０１    光ディスク
【図１】
2010192045.tif 000003
【図２】
2010192045.tif 000004
【図３】
2010192045.tif 000005
【図４】
2010192045.tif 000006
【図５】
2010192045.tif 000007
【図６】
2010192045.tif 000008
【図７】
2010192045.tif 000009
【図８】
2010192045.tif 000010
【図９】
2010192045.tif 000011
【図１０】
2010192045.tif 000012